(57)【要約】【課題】シートなどを乳母車の後ろ向きに、または前向きに配置するための装置が早く、実用的で、単純な方法によって取り外し可能となるように改良する。【解決手段】この装置は、シートの各側面で、乳母車のシャーシに設けられ、一致するアタッチメントで直接つなぎとめるためのそれぞれのアンカー機構を備えている。この装置は、アンカー機構が、ボディ４下側に収納されており、傾斜した縁６を有する突起５を有しており、傾斜した縁６が横方向のピン１１を移動してはめ込まれており、横方向のピン１１がボックス９の中にスライド可能にはめ込まれており、アンカー機構は、ボディ４がボックス９にはめ込まれるときに、アタッチメントがシャーシに設けられることによって形成されている。【選択図】図２
2007216948.tif 000002
【特許請求の範囲】
【請求項１】
シート（１）の各側面で、乳母車のシャーシに設けられ、一致するアタッチメントで直接つなぎとめるためのそれぞれのアンカー機構を備え、
上記アンカー機構は、
ボディ（３及び４）下側に収納されており、
傾斜した縁（６）を有する突起（５）を有しており、
上記傾斜した縁（６）が横方向のピン（１１及び１２）を移動してはめ込まれており、
上記横方向のピン（１１及び１２）がボックス（９及び１０）の中にスライド可能にはめ込まれており、
上記アンカー機構は、
上記ボディ（３及び４）が上記ボックスにはめ込まれるときに、上記アタッチメントが上記シャーシに設けられることによって形成されていることを特徴とするシート等を乳母車のシャーシにはめ込むための装置。
【請求項２】
上記横方向のピン（１１及び１２）がばね（１５及び１６）に接続しており、
上記横方向のピン（１１及び１２）は、
上記傾斜した縁（６）を有する上記突起（５）の動作が終了するときに、上記ばね（１５及び１６）によって上記横方向のピンがその初期状態の位置に戻されるようにはめ込まれていることを特徴とする請求項１に記載のシート等を乳母車のシャーシにはめ込むための装置。
【請求項３】
コントロール（１７）は、
上記アンカー機構を収納している上記ボディ（３及び４）の外側にはめ込まれており、
上記コントロールは、上記機構に接続しており、
アンロックする動作を成し遂げる動作をしたときに、結果としてつなぎとめる状態を開放することを特徴とする請求項１に記載のシート等を乳母車のシャーシにはめ込むための装置。
【発明の詳細な説明】
【背景技術】
【０００１】
子供がとても小さいときに携帯ベッドの後ろの方を配置するため、及びもっと後で子供が既に大きく成長した後にシートを配置するために、シートや携帯ベッドなどを乳母車のシャーシにはめ込むための幾つかの装置が存在する。これらの装置は、各シャーシの側面に準備されているそれぞれのホルダーに取り外し可能であり適合するようになっている。
【０００２】
この種の装置では、シャーシの各側面全体で構成されているボックスの中に設けられている横方向のピンによって直接つなぎとめる動作を実行することができるアンカー機構が含まれているということが知られている。そして、シートなどはそれによってただ一つの方向、即ち一般的には乳母車の後方に向くように配置される。この後方は、乳母車等を動かす人によって押される場所である。
【発明の開示】
【発明が解決しようとする課題】
【０００３】
本発明の目的は、シートなどを乳母車の後ろ向きに、または乳母車の後方で前向きに、即ち前に動く向きに配置するためのこの種の装置が早く、実用的で、単純な方法によって取り外し可能であり適合するように改良することである。
【課題を解決するための手段】
【０００４】
そのような目的のための固有の特徴は、傾斜した縁を有する突起を備えているアンカー機構がボディの下部に収納され、前記のボディがボックスにはめ合わされるときに、横方向のピンを傾斜した縁を有する突起が移すことによってはめ合わせ、この横方向のピンはボックスの中に滑動可能ではめ合わされている点として見い出すことができる。
【０００５】
他の固有の特徴は、上記横方向のピンがばねに接続しており、傾斜した縁を備えている前記突起の動作が終了するときに、上記横方向のピンがその初めの位置に戻るようにはめ合わされている点として見い出すことができる。
【０００６】
また、固有の特徴としては、コントロールが上記アンカー機構を収納している実際のボディの外側に設けられており、上記コントロールが上記機構に接続している。アンロックする動作を成し遂げる動作をしたときに、シートなどを取り外すための場所に移動し、結果としてつなぎとめる状態を開放する。
【０００７】
これらの、及び他の固有の特徴は、後述する詳細な記載によって最も良く明らかになり、また本発明の範囲を限定する目的ではない実施例を通して引用している実質的な実施形態を示す付随する２枚の図面によって理解がより簡単になるであろう。
【発明を実施するための最良の形態】
【０００８】
図面に基づくと、シート等をシャーシにはめ合わせるための本装置は、各側面にシートフレーム（１）を備え、具体的に中央のハブ（２）を備え、それぞれのボディ（３）及び（４）に収納され、傾斜した縁（６）を有する突起（５）を有する比較的伝統的なアンカー機構を備えている。
【０００９】
それぞれのボックス（９）及び（１０）はそれぞれアームレスト（７）及び（８）にはめ込まれており、それぞれ横方向のピン（１１）及び（１２）を備えている。上記の横方向のピン（１１）及び（１２）は、上記ボックスに設けられた水平な溝（１３）及び（１４）に一致してスライドするように配置されている。
【００１０】
上記横方向のピン（１１）及び（１２）は、それぞればね（１５）及び（１６）に接続しており、ばねの一方はしっかりとピン（２８）に取り付けられている。ピン（２８）はアームレスト（７）及び（８）が対応する乳母車のハンドルバーのブランチ（２９）にピン−ジョイント結合によって接続している。
【００１１】
アンカー機構（図示しない）は既に知られている。アンカー機構は、ボディ（３）及び（４）に設けられ、垂直のノッチ（Ｅ）に配置されている引き金を備えている。アンカー機構は、上記引き金が埋め込まれている横方向のピン（１１）及び（１２）をつかむためにはめ込まれ、上記ノッチがオフセット配置されて、例えば異なる幅の２個の部分が決定される。
【００１２】
この場合、下側の突起（５）は幅の広い部分に一致し、シートがその通常の位置に後ろ向きに置かれたとき（図２）、直接的な方法で埋め込まれたアンカー機構はピン（１１）及び（１２）をつかむ。
【００１３】
シートを前に動く向きに向けたい場合（図３及び４）、下側の突起（５）は隣接する前記横方向のピン（１１）及び（１２）に衝突する。そして傾斜した縁（６）のために上記ピンがそれぞれ矢印（Ｆ）のように移動し、ノッチ（Ｅ）に合うまで押される。そして、アンカー機構の引き金がこの捕捉動作を上記位置で成し遂げる。
【００１４】
シートを外すときには、ピン（１１）及び（１２）がばね（１５）及び（１６）の復元力によってそのはじめの位置に復帰する。
【００１５】
ロックされた埋め込まれているアンカー機構は、自動的な方法によって実現されている。そして、上記アンカー機構を開放するために、外部コントロール（１７）（outer control (17)）に接続しており、手でピン（１１）及び（１２）から上方に開放する動作をさせることができる。上記コントロールは、ボディ（３）及び（４）の中に取り付けられたばねの働きによってアンカー機構の動作位置に偏っている。
【００１６】
シートフレームは、ハブ（２）にはめ込まれ、関節部を有し、その端部がＵ形状部（２０）にはめ込まれてレッグレストを形成し、またＵ形状部（２１）にはめ込まれてバックレストを形成している側部の長さ部材（１８）及び（１９）を備えている。上記の後部は関節の配置によってはめ込まれており、そして傾きが異なる位置では、既に知られている手段であるコントロール（２２）によって安定化されている。
【００１７】
ハンドレール（２３）はハブ（２）に接続しており、端部のそれぞれが取り外し可能であるようにそれぞれチューブ状のトラニオン（２４）（trunnion (24)）及び（２５）にはめ込まれている。上記トラニオン（２４）及び（２５）は全体としてハブを構成している。上記フィッティング手段（２６）はターニングモーションの効果によってハンドレール（２３）がその一端をはめ込むことができるようにボールジョイントによってはめ込まれており、それぞれのハンドレールの端部にはさらに関節状リンク（２７）を備えている。
【図面の簡単な説明】
【００１８】
【図１】ボックスの詳細と移動可能な上記横方向のピンとを示す平面図である。
【図２】乳母車の後ろ側に向いており、各着座位置にシートの場所を配置するために固定されて埋め込まれている装置の詳細を示す側面図である。
【図３】乳母車にシャーシをはめ合わせる前の、前方へ動く向きのシートフレームの透視図である。
【図４】図３の各部に示す固定されて埋め込まれている装置の側面図である。
【図５】ハンドレールをシートにはめ込む詳細を示す透視図である。
【図１】
2007216948.tif 000003
【図２】
2007216948.tif 000004
【図３】
2007216948.tif 000005
【図４】
2007216948.tif 000006
【図５】
2007216948.tif 000007